(57)【要約】【課題】圧縮工具で圧縮する作業時に、指が挟まれるのを防止できる圧縮工具カバーを提供すること。【解決手段】ワークを圧縮する油圧圧縮工具２に取り付けられる圧縮工具カバー１は、圧縮ヘッド２１と、圧縮ヘッド２１に接近、離間可能なピストン２２と、棒状の本体２３と、本体２３に揺動可能に支持された棒状のハンドル２４と、を備え、ハンドル２４を揺動して、本体２３の先端側とハンドル２４の先端側とを接近させることにより、圧縮ヘッド２１とピストン２２とが接近し、本体２３のハンドル２４が揺動可能に支持される支持部分２３１を覆う。【選択図】図１
2010228083.tif 000002
【特許請求の範囲】
【請求項１】
ワークを圧縮する圧縮工具に取り付けられる圧縮工具カバーであって、
当該圧縮工具は、第１圧縮部と、当該第１圧縮部に接近、離間可能な第２圧縮部と、棒状の第１把持部と、当該第１把持部に揺動可能に支持された棒状の第２把持部と、を備え、前記第２把持部を揺動して、前記第１把持部の先端側と前記第２把持部の先端側とを接近させることにより、前記第１圧縮部と前記第２圧縮部とが接近し、
前記第１把持部の前記第２把持部が揺動可能に支持される部分を覆うことを特徴とする圧縮工具カバー。
【請求項２】
前記第１圧縮部は、流体が収容されたタンクと、シリンダと、を備え、
前記第２圧縮部は、前記シリンダ内に摺動可能に設けられたピストンであり、
前記第１圧縮部は、前記第１把持部から延びて、前記第２圧縮部に対向しており、
前記第２把持部を揺動させて、前記第１把持部の先端側と前記第２把持部の先端側とを接近させると、前記第１把持部内のタンクに収容された流体が前記シリンダ内に流入して、前記第１圧縮部と前記第２圧縮部とが接近することを特徴とする請求項１に記載の圧縮工具カバー。
【請求項３】
前記第１圧縮部は、前記第１把持部に連結され、
前記第２圧縮部は、前記第２把持部に連結されることを特徴とする請求項１に記載の圧縮工具カバー。
【請求項４】
前記第１把持部に着脱可能な第１着脱部と、
前記第２把持部に着脱可能な第２着脱部と、
前記第１着脱部と前記第２着脱部とを連結しかつ前記第１把持部の前記第２把持部が揺動可能に支持される部分を覆う伸縮可能な伸縮部と、を備えることを特徴とする請求項１から３のいずれかに記載された圧縮工具カバー。
【発明の詳細な説明】
【技術分野】
【０００１】
本発明は、圧縮工具カバーに関する。詳しくは、ワークを圧縮する圧縮工具に取り付けられる圧縮工具カバーに関する。
【背景技術】
【０００２】
従来より、電柱上に配置された変圧器の２次側から延びる電線を分岐する作業が行われる。具体的には、電線の分岐箇所にＣ型スリーブを配置し、Ｃ型スリーブの一端側に分岐電線を挿入する。そして、このＣ型スリーブを圧縮工具で圧縮して、分岐電線を電線に固定する。
【０００３】
圧縮工具は、油が充填された工具本体と、この本体の先端に設けられた圧縮ヘッドと、本体に設けられた棒状のハンドルと、を備える。工具本体内には、油タンクと、シリンダと、このシリンダ内に摺動可能に設けられたピストンと、を備える（特許文献１参照）。
そして、ハンドルの先端側を工具本体に接近、離間する動作を繰り返すことにより、工具本体内に油がシリンダ内に徐々に充填されて、この油の圧力により、ピストンが圧縮ヘッドに向かって徐々に前進する。
【０００４】
このＣ型スリーブを圧縮工具で圧縮する作業では、高所作業車に二人の作業員が搭乗して、圧縮工具は重量が大きいため、一人の作業員は、圧縮工具を把持して、Ｃ型スリーブを圧縮工具の圧縮ヘッド内に位置させる。そして、もう一人の作業員は、圧縮工具のハンドルおよび工具本体を把持して、ハンドルを本体に接近、離間する作業を繰り返す。
【先行技術文献】
【特許文献】
【０００５】
【特許文献１】特許第２８７７４３１号公報
【発明の概要】
【発明が解決しようとする課題】
【０００６】
しかしながら、圧縮ヘッドには大きな応力が作用するため、第１の作業者は、Ｃ型スリーブが圧縮ヘッド内に位置するように圧縮工具を把持する作業に集中している。よって、第２の作業者の動作により、第１の作業者の指がハンドルと本体との接合部分に挟まれるおそれがあった。
【０００７】
本発明は、圧縮工具で圧縮する作業時に、指が挟まれるのを防止できる圧縮工具カバーを提供することを目的とする。
【課題を解決するための手段】
【０００８】
本発明の圧縮工具カバー（例えば、圧縮工具カバー１）は、ワークを圧縮する圧縮工具（例えば、油圧圧縮工具２）に取り付けられる圧縮工具カバーであって、当該圧縮工具は、第１圧縮部（例えば、圧縮ヘッド２１）と、当該第１圧縮部に接近、離間可能な第２圧縮部（例えば、ピストン２２）と、棒状の第１把持部（例えば、本体２３）と、当該第１把持部に揺動可能に支持された棒状の第２把持部（例えば、ハンドル２４）と、を備え、前記第２把持部を揺動して、前記第１把持部の先端側と前記第２把持部の先端側とを接近させることにより、前記第１圧縮部と前記第２圧縮部とが接近し、前記第１把持部の前記第２把持部が揺動可能に支持される部分（例えば、支持部分２３１）を覆うことを特徴とする。
【０００９】
この発明によれば、圧縮カバーで第１把持部の第２把持部が揺動可能に支持される部分を覆った。
よって、第１圧縮部と第２圧縮部の間に例えばＣ型スリーブを配置して、１人の作業員が第１把持部を支持する。この状態で、もう１人の作業員が第２把持部を揺動して第１把持部の先端側と前記第２把持部の先端側とを接近させる。
このようにしても、この第１把持部の第２把持部が揺動可能に支持される部分に作業員の指が入ることがなく、圧縮工具で圧縮する作業時に、指が挟まれるのを防止できる。
【００１０】
また、前記第１把持部は、流体が収容されたタンク（例えば、タンク２３２）と、シリンダ（例えば、シリンダ２３３）と、を備え、前記第２圧縮部は、前記シリンダ内に摺動可能に設けられたピストン（例えば、ピストン２２）であり、前記第１圧縮部は、前記第１把持部から延びて、前記第２圧縮部に対向しており、前記第２把持部を揺動させて、前記第１把持部の先端側と前記第２把持部の先端側とを接近させると、前記第１把持部内のタンクに収容された流体が前記シリンダ内に流入して、前記第１圧縮部と前記第２圧縮部とが接近する。
【００１１】
このように、例えば、比較的重量が大きい油圧の圧縮工具を用いて圧縮する作業時にも、指が挟まれるのを防止できる。
【００１２】
また、前記第１圧縮部（例えば、第１ヘッド２１Ａ）は、前記第１把持部（例えば、第１ハンドル２３Ａ）に連結され、前記第２圧縮部（例えば、第２ヘッド２２Ａ）は、前記第２把持部（例えば、第２ハンドル２４Ａ）に連結される。
【００１３】
このように、例えば、第１把持部及び第２把持部に加えた力が、直接第１圧縮部及び第２圧縮部に伝わる手動圧縮工具を用いて圧縮する作業時にも、指が挟まれるのを防止できる。
【００１４】
また、前記第１把持部に着脱可能な第１着脱部（例えば、第１着脱部１１１）と、前記第２把持部に着脱可能な第２着脱部（例えば、第２着脱部１１２）と、前記第１着脱部と前記第２着脱部とを連結しかつ前記第１把持部の前記第２把持部が揺動可能に支持される部分を覆う伸縮可能な伸縮部（例えば、伸縮カバー１１０）と、を備える。
【００１５】
よって、第１着脱部と伸縮部との間に第１把持部を通し、第２着脱部と伸縮部との間に第２把持部を通す。次に伸縮部を、第１把持部の第２把持部が揺動可能に支持される部分まで移動する。
このように、圧縮工具カバーを、圧縮工具に着脱できるので、指が挟まれるのを防止していない圧縮工具に、圧縮工具カバーを取り付けて圧縮する作業を行うことで、指が挟まれるのを防止できる。
【発明の効果】
【００１６】
本発明によれば、圧縮工具で圧縮する作業時に、指が挟まれるのを防止できる。
【図面の簡単な説明】
【００１７】
【図１】本発明の第１実施形態に係る圧縮工具カバーが適用された油圧圧縮工具の概略を示す側面図である。
【図２】前記実施形態に係る油圧圧縮工具の断面図である。
【図３】前記実施形態に係る油圧圧縮工具の圧縮動作を説明するための図である。（ａ）は、圧縮前の状態を示す図である。（ｂ）は、圧縮後の状態を示す図である。
【図４】本発明の第２実施形態に係る圧縮工具カバーが適用された手動圧縮工具の概略を示す側面図である。
【図５】本発明の第３実施形態に係る圧縮工具カバーが適用された油圧圧縮工具の概略を示す斜視図である。
【発明を実施するための形態】
【００１８】
以下に、本発明の実施形態を図面に基づいて詳細に説明する。なお、以下の実施形態の説明にあたって、同一構成要件については同一符号を付し、その説明を省略もしくは簡略化する。
【００１９】
〔第１実施形態〕
図１は、本発明の第１実施形態に係る圧縮工具カバー１が適用された油圧圧縮工具２の概略を示す側面図である。図２は、前記実施形態に係る油圧圧縮工具２の断面図である。
油圧圧縮工具２は、第１把持部としての棒状の本体２３と、本体２３に設けられた第１圧縮部としての圧縮ヘッド２１と、本体２３に設けられて圧縮ヘッド２１に接近、離間可能な第２圧縮部としてのピストン２２と、本体２３に揺動可能に支持された第２把持部としての棒状のハンドル２４と、を備えている。
本体２３のうちハンドル２４を揺動可能に支持している部分は、圧縮工具カバー１で覆われている。
【００２０】
圧縮ヘッド２１は、本体２３の先端側から略くの字形状に延びる。
ピストン２２は、本体２３内に摺動可能に設けられている。このピストン２２の先端面は、圧縮ヘッド２１の先端面に対向している。
【００２１】
本体２３には、流体が収容されたタンク２３２と、シリンダ２３３と、タンク２３２からシリンダ２３３に至る導管２３５と、この導管２３５の途中に設けられた油圧ポンプ２３４と、が設けられている。本体２３の一部は、突出しており、ハンドル支持部２３６となっている。
【００２２】
タンク２３２は、本体２３の先端側に設けられている。
シリンダ２３３の内部には、上述のピストン２２が摺動可能に収容されている。
ハンドル２４は、ハンドル支持部２３６に揺動可能に支持される。
【００２３】
油圧ポンプ２３４は、ポンプシリンダ２３４ａと、このポンプシリンダ２３４ａの内部で摺動するポンプピストン２３４ｂと、このポンプピストン２３４ｂと一体に形成され、ハンドル支持部２３６の近傍でハンドル２４に接続されたトップラッチ２３４ｃと、を備えている。
この油圧ポンプ２３４によれば、ハンドル２４を揺動させると、ポンプピストン２３４ｂがポンプシリンダ２３４ａの内部で往復動し、流体をタンク２３２からシリンダ２３３の内部に供給する。
【００２４】
圧縮工具カバー１は、円筒形の蛇腹形状であり、弾性部材で形成されている。圧縮工具カバー１の一端側は、本体２３のハンドル支持部２３６に取り付けられており、圧縮工具カバー１の他端側は、ハンドル２４のハンドル支持部２３６側に取り付けられる。
この圧縮工具カバー１は、ハンドル２４の揺動に伴って、蛇腹部分の形状が変化して、ハンドル２４とハンドル支持部２３６との連結部分及びトップラッチ２３４ｃを常に覆う。
【００２５】
この油圧圧縮工具２によれば、ハンドル２４を揺動して、本体２３の先端側とハンドル２４の先端側とを近接させると、油圧ポンプ２３４が作動して、流体をタンク２３２からシリンダ２３３の内部に供給する。すると、シリンダ２３３の内部において、ピストン２２が圧縮ヘッド２１へ向けて移動する。
【００２６】
次に、上述の油圧圧縮工具２の圧縮動作について説明する。
図３は、前記実施形態に係る油圧圧縮工具２の圧縮動作を説明するための図である。図３（ａ）は、圧縮前の状態を示す図である。図３（ｂ）は、圧縮後の状態を示す図である。
【００２７】
圧縮前には、本体２３の先端側とハンドル２４の先端側とを離し、圧縮ヘッド２１とピストン２２との間にＣ型スリーブ３を配置し、このＣ型スリーブ３の内部に分岐電線４と電線５とを挿入して、１人の作業員が本体２３を支持する。
【００２８】
圧縮時には、上記の状態で、もう１人の作業員がハンドル２４を揺動して本体２３の先端側と前記第２把持部の先端側とを接近させる。すると、油圧ポンプ２３４が作動して、本体２３内のタンク２３２に収容された流体がシリンダ２３３内に流入して、圧縮ヘッド２１とピストン２２とが接近する。すると、圧縮ヘッド２１とピストン２２との間に配置したＣ型スリーブ３が圧縮され、分岐電線４と電線５とが固定される。
【００２９】
第１実施形態によれば、以下のような効果がある。
本体２３のハンドル２４が揺動可能に支持される部分に作業員の指が入ることがなく、圧縮工具で圧縮する作業時に、指が挟まれるのを防止できる。
また、比較的重量が大きい油圧圧縮工具２を用いて圧縮する作業時にも、指が挟まれるのを防止できる。
【００３０】
〔第２実施形態〕
本実施形態は、手動圧縮工具２Ａの構成が異なる。
手動圧縮工具２Ａには、上述の圧縮工具カバー１が適用されている。
図４は、本発明の第２実施形態に係る圧縮工具カバー１が適用された手動圧縮工具２Ａの概略を示す側面図である。
【００３１】
手動圧縮工具２Ａは、第１圧縮部としての第１ヘッド２１Ａと、第１ヘッド２１Ａに接近、離間可能な第２圧縮部としての第２ヘッド２２Ａと、第１ヘッド２１Ａと第２ヘッド２２Ａを連結する連結部２５Ａと、第１ヘッド２１Ａに連結された棒状の第１把持部としての第１ハンドル２３Ａと、第１ハンドル２３Ａに揺動可能に支持されて第２ヘッド２２Ａに連結された棒状の第２把持部としての第２ハンドル２４Ａと、を備えている。
【００３２】
第１ヘッド２１Ａは、略三角形状で形成されている。第１ヘッド２１Ａは、Ｃ型スリーブ３が配置される略Ｃの字形状の切り欠き部２１ａが先端側に形成され、基端側で第１ハンドル２３Ａに連結され、先端側と基端側の間で連結部２５Ａに連結されている。
【００３３】
第２ヘッド２２Ａは、第１ヘッド２１Ａと略同一形状で形成され、第１ヘッド２１Ａと対面して配置されている。第２ヘッド２２Ａは、Ｃ型スリーブ３が配置される略Ｃの字形状の切り欠き部２２ａが先端側に形成され、基端側で第２ハンドル２４Ａに連結され、先端側と基端側の間で連結部２５Ａに連結されている。
【００３４】
第１ハンドル２３Ａは、第１ヘッド２１Ａに揺動可能に連結されている。
第２ハンドル２４Ａは、第２ヘッド２２Ａに揺動可能に連結されている。
連結部２５Ａは、第１ヘッド２１Ａ及び第２ヘッド２２Ａと揺動可能に連結されている。
【００３５】
圧縮工具カバー１の一端側は、第１ハンドル２３Ａの第２ハンドル２４Ａが支持された部分の連結部２５Ａ側に取り付けられており、圧縮工具カバー１の他端側は、第１ハンドル２３Ａと第２ハンドル２４Ａの先端側に取り付けられている。
この圧縮工具カバー１は、第２ハンドル２４Ａの揺動に伴って、蛇腹部分の形状が変化して、第１ハンドル２３Ａの第２ハンドル２４Ａが支持された部分を常に覆う。
【００３６】
この手動圧縮工具２Ａによれば、第２ハンドル２４Ａを揺動して、第１ハンドル２３Ａに近接させると、第１ヘッド２１Ａの基端側と第２ヘッド２２Ａの基端側とが離間する一方、連結部２５Ａを支点として、第１ヘッド２１Ａの切り欠き部２１ａと第２ヘッド２２Ａの切り欠き部２２ａとが近接する。
【００３７】
次に、上述の手動圧縮工具２Ａの圧縮動作について説明する。
【００３８】
圧縮前には、第１ハンドル２３Ａの先端側と第２ハンドル２４Ａの先端側とを離し、第１ヘッド２１Ａの切り欠き部２１ａと第２ヘッド２２Ａの切り欠き部２２ａとの間にＣ型スリーブを配置し、このＣ型スリーブの内部に分岐電線４と電線５とを挿入して、１人の作業員が第１ハンドル２３Ａを支持する。
【００３９】
圧縮時には、上記の状態で、もう１人の作業員が第２ハンドル２４Ａを揺動して、第１ハンドル２３Ａの先端側と第２ハンドル２４Ａの先端側とを近接させる。すると、第１ヘッド２１Ａの切り欠き部２１ａと第２ヘッド２２Ａの切り欠き部２２ａとが接近する。すると、切り欠き部２１ａと切り欠き部２２ａとの間に配置したＣ型スリーブが圧縮され、分岐電線４と電線５とが固定される。
【００４０】
第２実施形態によれば、以下のような効果がある。
第１ハンドル２３Ａ及び第２ハンドル２４Ａに加えた力が、直接第１ヘッド２１Ａ及び第２ヘッド２２Ａに伝わる手動圧縮工具２Ａを用いて圧縮する作業時にも、指が挟まれるのを防止できる。
【００４１】
〔第３実施形態〕
本実施形態は、圧縮工具カバー１Ａの構成が異なる。
圧縮工具カバー１Ａは、上述の油圧圧縮工具２に取り付けられている。
図５は、本発明の第３実施形態に係る圧縮工具カバー１Ａが適用された油圧圧縮工具２の概略を示す斜視図である。
【００４２】
圧縮工具カバー１Ａは、本体２３のうちハンドル２４を揺動可能に支持している部分の内側を覆う伸縮可能な伸縮部としての伸縮カバー１０Ａと、伸縮カバー１０Ａの一方の縁に連結された第１着脱部１１Ａと、伸縮カバー１０Ａの他方の縁に連結された第１着脱部１１Ａと、を備える。
【００４３】
伸縮カバー１０Ａは、略Ｕの字形の蛇腹形状であり、弾性部材で形成されている。伸縮カバー１０Ａは、ハンドル２４のハンドル支持部２３６側に取り付けられる。
この伸縮カバー１０Ａは、ハンドル２４の揺動に伴って、蛇腹部分の形状が変化して、ハンドル２４とハンドル支持部２３６との連結部分及びトップラッチ２３４ｃを常に覆う。
【００４４】
第１着脱部１１Ａは、紐状の弾性体で形成され、両端が伸縮カバー１０Ａに連結されている。第１着脱部１１Ａは、所定間隔をあけて２箇所設けられている。
【００４５】
第２着脱部１２Ａは、紐状の弾性体で形成され、両端が伸縮カバー１０Ａに連結されている。第２着脱部１２Ａは、所定間隔をあけて２箇所設けられている。
【００４６】
このような圧縮工具カバー１０Ａを油圧圧縮工具２に取り付けるときは、第１着脱部１１Ａと伸縮カバー１０Ａとの間に油圧圧縮工具２の本体２３を通し、第２着脱部１２Ａと伸縮カバー１０Ａとの間に油圧圧縮工具２のハンドル２４を通す。次に、伸縮カバー１０Ａを、第１着脱部１１Ａと第２着脱部１２Ａと共に、本体２３のうちハンドル２４を揺動可能に支持している部分を覆う位置まで移動する。
【００４７】
第３実施形態によれば、以下のような効果がある。
指が挟まれるのを防止していない圧縮工具に、圧縮工具カバー１Ａを取り付けて圧縮する作業を行うことで、指が挟まれるのを防止できる。
【００４８】
なお、本発明は前記実施形態に限定されるものではなく、本発明の目的を達成できる範囲での変形、改良等は本発明に含まれるものである。
【符号の説明】
【００４９】
１        圧縮工具カバー
２        油圧圧縮工具
２１      圧縮ヘッド（第１圧縮部）
２２      ピストン（第２圧縮部）
２３      本体（第１把持部）
２４      ハンドル（第２把持部）
【図１】
2010228083.tif 000003
【図２】
2010228083.tif 000004
【図３】
2010228083.tif 000005
【図４】
2010228083.tif 000006
【図５】
2010228083.tif 000007